(57)【要約】【課題】表示画像中の重要度の高いページを優先的に表示しつつ、表示画像中の複数ページにまたがるコンテンツの確認を容易にする表示装置の制御方法を提供する。【解決手段】複数のページからなる画像をページごとに順次表示する表示装置において実行される制御方法であって、表示装置による各ページの表示履歴に基づき各ページの表示設定を変更するステップ（Ｓ２０６）と、表示履歴に基づき抽出された所定ページの変更後の表示設定に合わせて当該所定ページの前後ページの表示設定を調節するステップ（Ｓ２０７）と、を有する。【選択図】図１０
2012141816.tif 000002
【特許請求の範囲】
【請求項１】
複数のページからなる画像をページごとに表示する画像表示装置において実行される制御方法であって、
前記表示装置によるページごとの表示履歴に基づき各ページの表示設定を変更するステップ（Ａ）と、
前記表示履歴に基づき抽出された所定ページの前記ステップ（Ａ）での変更後の表示設定に合わせて、前記所定ページの前後ページの前記ステップ（Ａ）での変更後の表示設定を調節するステップ（Ｂ）と、を有する制御方法。
【請求項２】
前記ステップ（Ａ）で変更される各ページの表示設定は、各ページの表示順番であることを特徴とする請求項１に記載の制御方法。
【請求項３】
前記ステップ（Ａ）では、前記表示履歴を表す数値が大きい順番に各ページが表示されるように各ページの表示順番が変更され、
前記ステップ（Ｂ）では、前記前後ページが前記所定ページの前後に表示されるように、前記前後ページの表示順番が調節されることを特徴とする請求項２に記載の制御方法。
【請求項４】
前記表示装置は、ページごとに指定された表示時間の経過後にページを切り替える機能を備えており、
前記ステップ（Ａ）で変更される各ページの表示設定は、各ページの前記表示時間であることを特徴とする請求項１に記載の制御方法。
【請求項５】
前記ステップ（Ａ）では、前記表示履歴を表す数値が大きい順番に各ページの前記表示時間が長くなるように各ページの前記表示時間が変更され、
前記ステップ（Ｂ）では、前記前後ページの前記表示時間に前記所定ページの前記表示時間が加算されるように、前記前後ページの前後表示時間が調節されることを特徴とする請求項４に記載の制御方法。
【請求項６】
前記ステップ（Ａ）では、前記表示履歴を表す数値が大きい順番に各ページの前記表示時間が長くなるように各ページの前記表示時間が変更され、
前記ステップ（Ｂ）では、前記前後ページの前記表示時間が前記所定ページの前記表示時間で置き換えられるように、前記前後ページの前後表示時間が調節されることを特徴とする請求項４に記載の制御方法。
【請求項７】
前記表示装置は、電子ペーパであることを特徴とする請求項１〜６のいずれか１つに記載の制御方法。
【請求項８】
前記表示履歴には、前記表示装置による各ページの表示時間、各ページの表示回数、各ページの表示中の加筆回数、及び各ページの表示中の加筆量のうちの少なくとも一つが含まれることを特徴とする請求項１〜７のいずれか１つに記載の制御方法。
【請求項９】
複数のページからなる画像をページごとに表示する表示装置の制御プログラムであって、
前記表示装置による各ページの表示履歴に基づき各ページの表示設定を変更する手順（Ａ）と、
前記表示履歴に基づき抽出された所定ページの前記手順（Ａ）での変更後の表示設定に合わせて、前記所定ページの前後ページの前記手順（Ａ）での変更後の表示設定を調節する手順（Ｂ）と、を前記表示装置に実行させることを特徴とする制御プログラム。
【請求項１０】
複数のページからなる画像をページごとに表示する表示装置であって、
前記表示装置による各ページの表示履歴に基づき各ページの表示設定を変更する変更部と、
前記表示履歴に基づき抽出された所定ページの前記変更部による変更後の表示設定に合わせて、前記所定ページの前後ページの前記変更部による変更後の表示設定を調節する調節部と、を有する表示装置。
【発明の詳細な説明】
【技術分野】
【０００１】
本発明は、電子ペーパ等の複数ページからなる画像をページごとに表示する表示装置の制御方法、当該表示装置の制御プログラム、及び当該表示装置に関する。
【背景技術】
【０００２】
近年、紙に代わる表示媒体として電子ペーパ（電子ブック）の開発が進められている。電子ペーパによる表示方式としては、マイクロカプセル中に格納された白・黒の荷電粒子を電界によって移動させることで白／黒の表示を切り換える電気泳動方式やマイクロカプセル方式等が一般的である。このようにして移動された荷電粒子の位置は電界除去後も不変であるので、一旦表示された内容は次回の書き換えまでそのまま保持されることになる。このような特徴により電子ペーパは紙媒体（印刷物）に取って代わるものとして期待されている。
【０００３】
ここで、多くの電子ペーパはユーザの利便性向上のために各ページの表示順番を適宜変更して表示する機能を備えている。例えば、以下の特許文献１には、電子ペーパに接近したＩＣタグから検出されたタグ情報に基づいて当該電子ペーパ装置により表示すべきレコードの表示順番を変更する電子ペーパ情報管理プログラムが提案されている。さらに、以下の特許文献２には、出力用画像のページごとの表示回数や表示時間等の表示履歴データに基づき各ページの優先順位を決定し、その優先順位に従って各ページの表示順番を変更する画像検索装置が提案されている。
【０００４】
これらの技術を採用した場合、より重要度の高いページを優先的に表示することができるので、ユーザがわざわざ多数のページの中から当該ページを検索する手間を省くことができる。しかし、このように各ページの表示順番を変更した結果、複数ページ間にまたがって存在するコンテンツが途中で分断される可能性がある。その場合、当該コンテンツを通しで確認しようとするユーザはページの切り替えを繰り返すことにより本来の前後ページを呼び出さなければならず、ユーザの負担がかえって増加する虞がある。
【先行技術文献】
【特許文献】
【０００５】
【特許文献１】特開２００８−２４２８５５号公報
【特許文献２】特開平０８−６３４８４号公報
【発明の概要】
【発明が解決しようとする課題】
【０００６】
本発明は、上記従来技術に伴う課題を解決するためになされたものであり、本発明の目的は、表示画像中の重要度の高いページを優先的に表示しつつ、表示画像中の複数ページにまたがるコンテンツ全体の確認を容易にする表示装置の制御方法、当該表示装置の制御プログラム、及び当該表示装置を提供することである。
【課題を解決するための手段】
【０００７】
本発明の上記目的は、下記の手段によって達成される。
【０００８】
（１）複数のページからなる画像をページごとに表示する画像表示装置において実行される制御方法であって、前記表示装置によるページごとの表示履歴に基づき各ページの表示設定を変更するステップ（Ａ）と、前記表示履歴に基づき抽出された所定ページの前記ステップ（Ａ）での変更後の表示設定に合わせて、前記所定ページの前後ページの前記ステップ（Ａ）での変更後の表示設定を調節するステップ（Ｂ）と、を有する制御方法。
【０００９】
（２）前記ステップ（Ａ）で変更される各ページの表示設定は、各ページの表示順番であることを特徴とする上記（１）に記載の制御方法。
【００１０】
（３）前記ステップ（Ａ）では、前記表示履歴を表す数値が大きい順番に各ページが表示されるように各ページの表示順番が変更され、前記ステップ（Ｂ）では、前記前後ページが前記所定ページの前後に表示されるように、前記前後ページの表示順番が調節されることを特徴とする上記（２）に記載の制御方法。
【００１１】
（４）前記表示装置は、ページごとに指定された表示時間の経過後にページを切り替える機能を備えており、前記ステップ（Ａ）で変更される各ページの表示設定は、各ページの前記表示時間であることを特徴とする上記（１）に記載の制御方法。
【００１２】
（５）前記ステップ（Ａ）では、前記表示履歴を表す数値が大きい順番に各ページの前記表示時間が長くなるように各ページの前記表示時間が変更され、前記ステップ（Ｂ）では、前記前後ページの前記表示時間に前記所定ページの前記表示時間が加算されるように、前記前後ページの前後表示時間が調節されることを特徴とする上記（４）に記載の制御方法。
【００１３】
（６）前記ステップ（Ａ）では、前記表示履歴を表す数値が大きい順番に各ページの前記表示時間が長くなるように各ページの前記表示時間が変更され、前記ステップ（Ｂ）では、前記前後ページの前記表示時間が前記所定ページの前記表示時間で置き換えられるように、前記前後ページの前後表示時間が調節されることを特徴とする上記（４）に記載の制御方法。
【００１４】
（７）前記表示装置は、電子ペーパであることを特徴とする上記（１）〜（６）のいずれか１つに記載の制御方法。
【００１５】
（８）前記表示履歴には、前記表示装置による各ページの表示時間、各ページの表示回数、各ページの表示中の加筆回数、及び各ページの表示中の加筆量のうちの少なくとも一つが含まれることを特徴とする上記（１）〜（７）のいずれか１つに記載の制御方法。
【００１６】
（９）複数のページからなる画像をページごとに表示する表示装置の制御プログラムであって、前記表示装置による各ページの表示履歴に基づき各ページの表示設定を変更する手順（Ａ）と、前記表示履歴に基づき抽出された所定ページの前記手順（Ａ）での変更後の表示設定に合わせて、前記所定ページの前後ページの前記手順（Ａ）での変更後の表示設定を調節する手順（Ｂ）と、を前記表示装置に実行させることを特徴とする制御プログラム。
【００１７】
（１０）複数のページからなる画像をページごとに表示する表示装置であって、前記表示装置による各ページの表示履歴に基づき各ページの表示設定を変更する変更部と、前記表示履歴に基づき抽出された所定ページの前記変更部による変更後の表示設定に合わせて、前記所定ページの前後ページの前記変更部による変更後の表示設定を調節する調節部と、を有する表示装置。
【発明の効果】
【００１８】
本発明によると、表示画像中の各ページの表示設定（表示順番、自動めくり表示時間等）を各ページの表示履歴に基づき変更した後に、表示履歴に基づき抽出された特定ページの表示設定に合わせて特定ページの前後ページの表示設定を調節することができる。その結果、表示画像中の重要度の高いページを優先的に表示しつつ、複数ページにまたがるコンテンツ全体の確認を容易にすることができる。よって、本発明によると、複数ページからなる表示画像を閲覧するユーザの利便性を向上させることができる。
【図面の簡単な説明】
【００１９】
【図１】本発明の一実施形態に係る表示装置の外観を示す概略図である。
【図２】本発明の一実施形態に係る表示装置の構成を示すブロック図である。
【図３】本発明の一実施形態に係る表示装置における表示部の構成を示す断面図である。
【図４】本発明の一実施形態に係る表示装置による表示設定変更処理の手順を示すフローチャートである。
【図５】本発明の一実施形態に係る表示設定変更用ＵＩ画面の一例を示す概略図である。
【図６】本発明の一実施形態に係る表示設定変更後の各ページを示す概略図である。
【図７】本発明の一実施形態に係る表示装置による表示画像の一例を示す概略図である。
【図８】本発明の一実施形態に係る表示装置による表示画像の一例を示す概略図である。
【図９】本発明の一実施形態に係る表示装置による表示画像の一例を示す概略図である。
【図１０】本発明の他の実施形態に係る表示装置による表示設定変更処理の手順を示すフローチャートである。
【図１１】本発明の他の実施形態に係る表示設定変更用ＵＩ画面の一例を示す概略図である。
【図１２】本発明の他の実施形態に係る表示設定変更後の各ページを示す概略図である。
【図１３】本発明の他の実施形態に係る表示設定調節後の各ページを示す概略図である。
【発明を実施するための形態】
【００２０】
以下、本発明の実施の形態を、図面を参照しつつ説明する。
【００２１】
＜第１実施形態＞
先ず、本発明の第１実施形態に係る表示装置について説明する。図１は、本実施形態に係る表示装置Ｐの外観を示す概略図であり、図２はその構成を示すブロック図である。図１及び２のように、表示装置Ｐは、ＣＰＵ１１、ＲＡＭ１２、ＲＯＭ１３、表示情報記憶部１４、表示部１５、及び操作部１６を備えており、これらは内部バス１７により相互に通信可能に接続されている。これらの構成要素の各々については以下に詳細に説明する。
【００２２】
また、図１のように、表示装置Ｐは複数ページからなる表示画像を表示部１５によりページごとに表示することができ、ユーザは操作部１６を操作することで表示部１５により表示されるページを切り替えることができる。
【００２３】
ＣＰＵ１１は、プログラムに従って各部の動作を制御するためのマイクロプロセッサからなる制御回路である。ＲＡＭ１２は、作業領域として一時的に各種プログラム及びデータを保持するための随時読み出しメモリであり、ＲＯＭ１３は、各種プログラムを恒久的に記録するための読み出し専用メモリである。ＲＡＭ１２及びＲＯＭ１３は、ＣＰＵ１１の主記憶装置としての機能を有する。
【００２４】
表示情報記憶部１４は、フラッシュメモリやＨＤＤ等の不揮発性メモリからなる補助記憶装置である。表示情報記憶部１４は、表示画像の画像データや表示画像のページごとの表示履歴（表示時間、表示回数等）を示す表示履歴情報等を格納している。
【００２５】
表示部１５は、電子ペーパからなる表示パネルであり、表示情報記憶部１４内の画像データに基づく表示画像をページごとに表示する。表示部１５による表示画像の一例を図８〜１０に示す。また、表示部１５は、表示画像の他にも図５及び図１２に例示するようなＵＩ（ユーザ・インタフェース）画面を表示することができる。さらに、表示部１５は、ユーザからの各種指示を取得するためのタッチパネル機能を備えている。本実施形態に係る表示部１５が採用する表示技術については後述する。操作部１６は、ユーザから各種指示を受け付けるための入力装置であり、所定のキーパッドやページ送り／戻しボタン等からなる。
【００２６】
次に、図３は、本実施形態に係る表示部１５の主要部の構造を示す断面図である。図３のように、本実施形態に係る表示部１５は、負電荷を帯びた黒色顔料ａ１及び正電荷を帯びた白色顔料ａ２がオイル等の透明分散媒とともに封入されたマイクロカプセルａによる電気泳動方式の表示技術を採用した電子ペーパである。図中の他の構成要素について以下に説明する。
【００２７】
表面層ｂは、ＰＥＴ（Ｐｏｌｙｅｔｈｙｌｅｎｅ  Ｔｅｒｅｐｈｔｈａｌａｔｅ）フィルム等の透明な材料からなる前面基板であり、その背面側にはＩＴＯ（Ｉｎｄｉｕｍ  Ｔｉｎ  Ｏｘｉｄｅ）等の透明な電導膜からなる透明電極ｃが配置されている。また、支持層ｄはポリイミドフィルム等の絶縁性を有する材料からなる背面基板であり、その前面側には個々のマイクロカプセルａに対応する微小な金属板からなる背面電極（セグメント電極）ｅが配置されている。
【００２８】
そして、個々の背面電極ｅと透明電極ｃとの間には前述のマイクロカプセルａが配置されており、個々のマイクロカプセルａは接着層ｆを介して個々の背面電極ｅと接合されている。このように２枚の電極板ｃ、ｅを介して前面基板（表面層ｂ）と背面基板（支持層ｄ）との間の空間に２次元的に配置された無数のマイクロカプセルａが表示部１５の表示領域を形成している。
【００２９】
このように配置されたマイクロカプセルａによる表示原理は次の通りである。一のマイクロカプセルａに対応する背面電極ｅに正電位が与えられると、負電荷を帯びた黒色顔料ａ１が背面電ｅ側に移動するとともに正電荷を帯びた白色顔料ａ２が透明電極ｃ側に移動するので、当該マイクロカプセルａは表示領域の前面側から見て白色を表示することになる。
【００３０】
同様に、一のマイクロカプセルａに対応する背面電極ｅに負電位が与えられると、正電荷を帯びた白色顔料ａ２が背面電極ｅ側に移動するとともに負電荷を帯びた黒色顔料ａ１が透明電極ｃ側に移動するので、当該マイクロカプセルａは表示領域Ａの前面側から見て黒色を表示することになる。
【００３１】
次に、本実施形態に係る表示装置Ｐの動作の概要について説明する。図４は、本実施形態に係る表示装置Ｐの制御部１１が各ページの表示設定を変更する処理（以下では単に「表示設定変更処理」という）の手順を示すフローチャートである。図４のフローチャートにより示されるアルゴリズムはＲＯＭ１３に制御プログラムとして格納されている。
【００３２】
先ず、制御部１１は、表示情報記憶部１４に格納されている画像データをＲＡＭ１２に読み込む（Ｓ１０１）。そして、制御部１１は、各ページの表示設定を変更すべきとの指示（以下では単に「変更指示」という）をユーザから受け付けたかどうかを判定し（Ｓ１０２）その判定結果に応じて以降の処理を分岐する。この変更指示はユーザが表示部１５のタッチパネル又は操作部１６に対して所定の動作を行なったときに受け付けられるものとする。なお、本実施形態における「表示設定」とは、各ページの表示順番のことを指す。よって、本実施形態に関する以降の説明において各ページの「表示設定」と各ページの「表示順番」とは同義である。
【００３３】
ここで、制御部１１は、Ｓ１０２で変更指示を受け付けた場合（Ｓ１０２のＹＥＳ）、表示順番変更用ＵＩ画面を表示部１５に表示させ、当該ＵＩ画面上でユーザから各ページの表示順番に関する詳細な指示を受け付ける（Ｓ１０３）。そして、制御部１１は、後述するＳ１０４〜Ｓ１０６の手順に従って各ページの表示順番を変更してから表示部１５に表示画像を表示させる（Ｓ１０７）。その後、制御部１１は一連の処理を終了する（エンド）。
【００３４】
他方、制御部１１は、Ｓ１０２で表示順番の変更指示を受け付けなかった場合（Ｓ１０２のＮＯ）、各ページの表示順番を変更することなく表示部１５に表示画像を表示させる（Ｓ１０８）。その後、ページごとの表示履歴（表示時間、表示回数等）を表示情報記憶部１４内の表示履歴情報に追記してから（Ｓ１０９）一連の処理を終了する（エンド）。
【００３５】
続いて、本実施形態に係る表示順番変更用ＵＩ画面ｕ１について説明する。図５は、表示順番変更用ＵＩ画面ｕ１の一例を示す概略図である。同図のように、ＵＩ画面ｕ１は、「日付」「指定期間」からなる期間指定用のラジオボタンｂ１、「表示時間」「表示回数」「加筆」「加筆回数」「加筆データ量」からなる重み付け用のトグルボタンｂ２、及び「昇順」「降順」からなる順位指定用のラジオボタンｂ３を備えている。これらについて以下に順に説明する。
【００３６】
期間指定用のラジオボタンｂ１は、表示装置Ｐが各ページの表示順番を変更する際に参照すべき表示履歴情報の期間を指定するために用いられる。「日付」のボタンが選択された場合は日付入力欄に入力された日付の表示履歴情報のみが参照される。「指定期間」のボタンが選択された場合は期間入力欄に入力された期間内の表示履歴情報のみが参照される。図５中の例によると、２０１０年０８月２８日付の表示履歴情報のみが参照されることになる。
【００３７】
重み付け用のトグルボタンｂ２は、表示装置Ｐが各ページの表示順番を変更する際に参照すべき表示履歴情報の項目（表示時間、表示回数、加筆有無、加筆回数、加筆データ量等）を指定するために用いられる。なお、複数の項目が同時に指定された場合には各項目を表す数値が各項目の数値入力欄に入力された重み付け係数によって重み付けされる。図５中の例によると、各ページの「表示時間」を表す数値のみが参照されることになる。
【００３８】
順位指定用のラジオボタンｂ３は、後述する表示履歴順位の計算結果が等しいページが存在する場合に昇順と降順のどちらを採用すべきかを指定するために用いられる。図５中の例によると、表示履歴順位の計算結果が等しいページが存在する場合には昇順により表示履歴順位が付けられることになる。
【００３９】
再び図４を参照すると、制御部１１は、ＵＩ画面ｕ１（特に、ラジオボタンｂ１及びトグルボタンｂ２）により指定された表示履歴情報を表示情報記憶部１５からＲＡＭ１２に読み込み（Ｓ１０４）、その表示履歴情報に基づき各ページの順位を計算する（Ｓ１０５）。より具体的に、Ｓ１０５では、トグルボタンｂ２により指定された各項目を表す数値に重み付け係数を乗じた積の合計値をページごとに計算し、その合計値の大きさに従って各ページに順位を付ける。なお、合計値が等しいページについてはラジオボタンｂ３の選択結果に従って昇順又は降順により順位が付けられる。Ｓ１０５で計算される各ページの順位のことを以下では「表示履歴順位」と称する（後述する第２実施形態においても同様）。
【００４０】
以下の表１は、図５のＵＩ画面ｕ１上で指定された表示履歴情報の一例である。表１の例によると、トグルボタンｂ２により指定された各項目（「表示時間」のみ）を表す数値に重み付け係数（１００％）を乗じた積の合計値は、第２ページ、第１ページ・第４ページ、第３ページ、第５ページの順に大きい。そして、ＵＩ画面ｕ１上のラジオボタンｂ３により「昇順」選択されているので、第１〜第５ページの表示履歴順位はそれぞれ２位、１位、４位、３位、５位となる。
【００４１】
【表１】
2012141816.tif 000003
【００４２】
再び図４を参照すると、制御部１１は、Ｓ１０５で計算した各ページの表示履歴順位に従って各ページの表示順番を変更する（Ｓ１０６）。表１の例によると、第１〜第５ページの表示順番は、各ページの表示履歴順位に従って２、１、４、３、５にそれぞれ変更される。図６は各ページの変更後の表示順番を示す概略図である。このような表示履歴情報に基づく変更後の表示順番によると、過去の表示時間が長かったページほど先に表示されることになる。これらのページはユーザにとり特に重要度が高いと考えられるので複数ページからなる表示画像を閲覧するユーザの利便性が向上することになる。
【００４３】
次に、本実施形態に係る表示装置Ｐによる各ページの表示切り替え方法について説明する。図７は、前述した表示設定変更処理後の各ページの表示画像の一例を示す概略図である。図７には第１〜第５ページのうちの第１ページが示されているが、当該ページの表示順番は前述した表示設定変更処理により“２／５”に変更されている（図６参照）。図７のようなページ画像を閲覧するユーザは、その下方に設けられた「←前」「後→」ボタンを押下することによりページを前後に切り替えることができる。
【００４４】
ここで、本実施形態に係る表示装置Ｐは、前述した表示履歴情報（表１参照）に基づき抽出された基準ページ（後述）の表示中に「←前」「後→」ボタンが押下された場合は、直ちにページを切り替えるのではなく、先ず「←前」「後→」ボタンに代えて「設定順序」「通常順序」からなる表示順番調節用のラジオボタンｂ４を表示させる。なお、ここでいう基準ページとは、表示履歴を表す数値（表示時間、表示回数等）が特に大きいページのことを指し、表１の例においては第２ページ（表示時間＝１５秒）、第１ページ（表示時間＝５秒）、及び第４ページ（表示時間＝５秒）が基準ページとして抽出される。ただし、本実施形態においては全てのページが基準ページとして抽出されてもよい。
【００４５】
そして、本実施形態に係る表示装置Ｐは、「設定順序」のラジオボタンｂ４が選択された状態で「ＯＫ」ボタンが押下された場合は、前述した表示設定変更処理による変更後の表示順番（図６参照）に従ってページを前後に切り替える。つまり、図８（Ａ）に例示するような状態で「ＯＫ」ボタンが押下された場合には、変更後の表示順番が“２／５”である第１ページは、変更後の表示順番が“３／５”である第４ページに切り替えられる（図８（Ｂ）参照）。
【００４６】
他方、本実施形態に係る表示装置Ｐは、「通常順序」のラジオボタンｂ４が選択された状態で「ＯＫ」ボタンが押下された場合は、現在表示中である基準ページの表示順番に合わせて、その前後ページの表示順番を調節する。より具体的に、表示装置Ｐは、現在表示中である基準ページがその前後ページに切り替わるように、当該前後ページの表示順番を調節する。なお、本実施形態における「前後ページ」とは基準ページの本来の前ページ及び／又は後ページを指しており、前述した表示設定変更処理後の表示順番において基準ページの前後に位置するページとは無関係である（後述する第２実施形態においても同様である。）。
【００４７】
つまり、図９（Ａ）に例示するような状態で「ＯＫ」ボタンが押下された場合、現在表示中である第１ページは、図８（Ｂ）のように第４ページに切り替わるのではなく、第１ページの本来の後ページである第２ページに切り替わることになる（図９（Ｂ）参照）。これによりユーザは第１ページ及び第２ページに同一のコンテンツがまたがって存在していたとしても当該コンテンツを容易に確認することができる。
【００４８】
以上のように、本実施形態に係る表示装置Ｐは、表示画像中の各ページの表示順番を各ページの表示履歴に基づき変更した後に、表示履歴に基づき抽出された基準ページの表示順番に合わせてその前後ページの表示順番を調節することができる。より具体的に、本実施形態に係る表示装置Ｐは、表示履歴に基づき各ページの表示順番を変更した後であっても、基準ページがその本来の前後ページに切り替わるように当該前後ページの表示順番を調節することができる。その結果、本実施形態によると、表示画像中の重要度の高いページを優先的に表示しつつ、複数ページにまたがるコンテンツ全体の確認を容易にすることができる。よって、本実施形態によると、複数ページからなる表示画像を閲覧するユーザの利便性を向上させることができる。
【００４９】
＜第２実施形態＞
次に本発明の第２実施形態について説明する。本実施形態に係る表示装置は、現在表示中のページをページごとに指定された表示時間の経過後に自動的に他のページに切り替える「自動めくり機能」を備えている。ただし、それ以外の構成は前述した第１の実施形態に係る表示装置Ｐと同様である（図１〜３参照）。そのため、本実施形態においても前述した第１実施形態と同一の符合を用いて表示装置及びその構成要素を参照することとする。
【００５０】
図１０は、本実施形態に係る表示装置Ｐの制御部１１による表示設定変更処理の手順を示すフローチャートである。図１０のフローチャートにより示されるアルゴリズムはＲＯＭ１３に制御プログラムとして格納されている。
【００５１】
先ず、制御部１１は、表示情報記憶部１５に格納されている画像データをＲＡＭ１２に読み込む（Ｓ２０１）。そして、制御部１１は、表示部１５による各ページの表示設定の変更指示をユーザから受け付けたかどうかを判定し（Ｓ２０２）、その判定結果に応じて以降の処理を分岐する。なお、本実施形態における「表示設定」とは、前述した自動めくり機能によりページを切り替える際の各ページの表示時間のことを指す。よって、本実施形態に関する以降の説明において各ページの「表示設定」と各ページの「自動めくり表示時間」とは同義である。
【００５２】
ここで、制御部１１は、Ｓ２０２で変更指示を受け付けた場合（Ｓ２０２のＹＥＳ）、自動めくり表示時間変更用ＵＩ画面を表示部１５に表示させ、当該ＵＩ画面上でユーザから各ページの自動めくり表示時間に関する詳細な指示を受け付ける（Ｓ２０３）。そして、制御部１１は、後述するＳ２０４〜Ｓ２０６の手順に従って各ページの自動めくり表示時間を変更する。さらに、制御部１１は、後述するＳ２０７の手順に従って基準ページの自動めくり表示時間に合わせて、その前後ページの自動めくり表示時間を調節してから（Ｓ２０７）、表示部１５に画像データを表示する（Ｓ２０８）。その後、制御部１１は一連の処理を終了する（エンド）。
【００５３】
他方、制御部１１は、Ｓ２０２で変更指示を受け付けなかった場合（Ｓ２０２のＮＯ）、各ページの自動めくり表示時間を変更することなく表示部１５に画像データを表示させる（Ｓ２０９）。その後、ページごとの表示履歴（表示時間、表示回数等）を表示情報記憶部１５内の表示履歴情報に追記してから（Ｓ２１０）一連の処理を終了する（エンド）。
【００５４】
続いて、本実施形態に係る自動めくり表示時間変更用ＵＩ画面ｕ２について説明する。図１１は、自動めくり表示時間変更用ＵＩ画面ｕ２の一例を示す概略図である。同図のように、自動めくり表示時間変更用ＵＩ画面ｕ２は、前述したＵＩ画面ｕ１と同様に、「日付」「指定期間」からなる期間指定用のラジオボタンｂ１、及び「表示時間」「表示回数」「加筆」「加筆回数」「加筆データ量」からなる重み付け用のトグルボタンｂ２を備えている。
【００５５】
さらに、本実施形態に係る自動めくり表示時間変更用ＵＩ画面ｕ２は、「１位ページ」「２位ページ」「３位ページ」「その他ページ」からなる自動めくり表示時間変更用の数値入力欄ｅ１、「前ページ含」「後ページ含」からなる前後ページ指定用のトグルボタンｂ５、「１位ページ」「２位ページ」「３位ページ」からなる基準ページ指定用のトグルボタンｂ６、及び「加算」「置き換え」からなる調節方法指定用のラジオボタンｂ７をさらに備えている。これらのボタン及び数値入力欄について以下に詳細に説明する。
【００５６】
期間指定用のラジオボタンｂ１は、表示装置Ｐが各ページの自動めくり表示時間を変更する際に参照すべき表示履歴情報の期間を指定するために用いられる。図１１中の例によると、２０１０年０６月２１〜２０１０年０７月０４日の表示履歴情報が参照されることになる。
【００５７】
重み付け用のトグルボタンｂ２は、表示装置Ｐが自動めくり表示時間を変更する際に参照すべき表示履歴情報の項目（表示時間、表示回数、加筆有無、加筆回数、加筆データ量等）を指定するために用いられる。なお、複数の項目が同時に指定された場合には各項目を表す数値が各項目の数値入力欄に入力された重み付け係数によって重み付けされる。図１１中の例によると、各ページの「表示回数」を表す数値のみが参照されることになる。
【００５８】
自動めくり表示時間変更用の数値入力欄ｅ１は、各ページの変更後の自動めくり表示時間を指定するために用いられる。図１１中の例によると、前述した表示履歴順位が１位、２位、３位のページの自動めくり表示時間がそれぞれデフォルト値から３０秒、１５秒、１０秒に変更され、それ以外の順位（４位以下）のページの自動めくり表示時間がデフォルト値から２秒に変更されることになる。
【００５９】
そして、前後ページ指定用のトグルボタンｂ５、基準ページ指定用のトグルボタンｂ６、及び調節方法指定用のラジオボタンｂ７は、表示装置Ｐが基準ページの自動めくり表示時間に合わせて基準ページの前後ページの自動めくり表示時間を調節する際の設定条件を指定するために用いられる。
【００６０】
前後ページ指定用のトグルボタンｂ５は、自動めくり表示時間が調節されるべき前後ページの範囲を指定するために用いられる。図１１中の例によると、基準ページの前１ページ自動めくり表示時間のみが調節されることになる。
【００６１】
基準ページ指定用のトグルボタンｂ６は、履歴情報に基づいて抽出された複数のページの中から基準ページを指定するために用いられる。図１１中の例によると、基準ページの候補として表示履歴順位が１位〜３位のページが抽出されており、そのうち１位のページのみが基準ページとして指定されている。
【００６２】
調節方法指定用のラジオボタンｂ７は、基準ページの前後ページの自動めくり表示時間を調節する際の調節方法を指定するために用いられる。「加算」ボタンが選択された場合は、前後ページの自動めくり表示時間に基準ページの自動めくり表示時間が加算される。「置き換え」ボタンが選択された場合は、前後ページの自動めくり表示時間が基準ページの自動めくり表示時間で置き換えられる。
【００６３】
再び図１０を参照すると、制御部１１は、ＵＩ画面ｕ２（特に、ラジオボタンｂ１及びトグルボタンｂ２）により指定された表示履歴情報を表示情報記憶部１５からＲＡＭ１２に読み込み（Ｓ２０４）、その表示履歴情報に基づき各ページの表示履歴順位を計算する（Ｓ２０５）。より具体的に、Ｓ２０５では、トグルボタンｂ２により指定された各項目を表す数値に重み付け係数を乗じた積の合計値をページごとに計算し、その合計値に従って各ページに表示履歴順位を付ける。なお、合計値が等しいページについては昇順により順位が付けられる。
【００６４】
以下の表２は、図１１のＵＩ画面ｕ２上で指定された表示履歴情報の一例である。表２の例によると、トグルボタンｂ２により指定された各項目（「表示回数」のみ）を表す数値に重み付け係数（１００％）を乗じた積の合計値は、第２ページ、第５ページ、第４ページ、第１ページ・第３ページの順に大きい。そのため、第１〜第５ページの表示履歴順位はそれぞれ４位、１位、５位、３位、２位となる。
【００６５】
【表２】
2012141816.tif 000004
【００６６】
再び図１０を参照すると、制御部１１は、Ｓ２０５で計算した各ページの表示履歴順位に従って各ページの自動めくり表示時間を変更する（Ｓ２０６）。表２の例によると、第１〜第５ページの自動めくり表示時間は、ＵＩ画面ｕ２の数値入力欄ｅ１への入力値に従って２秒、３０秒、２秒、１０秒、１５秒にそれぞれ変更される。図１２は、各ページの変更後の自動めくり表示時間を示す概略図である。このような表示履歴情報に基づく変更後の自動めくり表示時間によると、過去の表示回数が多かったページほど長時間にわたり表示されることになる。これらのページはユーザにとり特に重要度が高いと考えられるので複数ページからなる表示画像を閲覧するユーザの利便性が向上することになる。
【００６７】
再び図１０を参照すると、表示装置Ｐは、基準ページの自動めくり表示時間に合わせてその前後ページの自動めくり表示時間を調節する（Ｓ２０７）。より具体的に、Ｓ２０７では、前後ページ指定用のトグルボタンｂ５により指定された前後ページの自動めくり表示時間を、調節方法指定用のラジオボタンｂ７により指定された調節方法に従って調節する。
【００６８】
図１３は、図１２中の各ページの自動めくり表示時間を図１１のＵＩ画面ｕ２上の設定条件に従って調節したときの調節後の自動めくり表示時間を示す概略図である。本例においては、基準ページ指定用のトグルボタンｂ６の選択結果（「１位」）に従って、表示履歴順位が１位である第２ページのみが基準ページとして指定されている。また、本例においては、前後ページ指定用のトグルボタンｂ５の選択結果（「前１ページ」）に従って、基準ページの前１ページの自動めくり表示時間のみが再度変更されている。
【００６９】
そして、本例においては、調節方法指定用のラジオボタンｂ７の選択結果（「加算」）に従って、基準ページの自動めくり表示時間を前後ページの自動めくり表示時間に加算する方法が採用されている。これによりユーザは基準ページ（第２ページ）及びその前後ページ（第１ページ）に同一のコンテンツがまたがって存在していたとしても当該コンテンツ全体を容易に確認することができる。
【００７０】
なお、ＵＩ画面ｕ２上で自動めくり表示時間を調節すべきとの指示が受け付けられなかった場合、すなわち、前後ページ指定用のトグルボタンｂ５がいずれも選択されなかった場合、表示装置ＰはＳ２０７を省略して直接Ｓ２０８に進む。この場合、各ページの自動めくり表示時間はＳ２０６で変更された後にさらに調節されることはない。
【００７１】
以上のように、本実施形態に係る表示装置Ｐは、表示画像中の各ページの自動めくり表示時間を各ページの表示履歴に基づき変更した後に、表示履歴に基づき抽出された基準ページの自動めくり表示時間に合わせてその前後ページの自動めくり表示時間を調節することができる。より具体的に、本実施形態に係る表示装置Ｐは、表示履歴に基づき各ページの自動めくり表示時間を変更した後であっても、基準ページ（第２ページ）の自動めくり表示時間（３０秒）がその前後ページ（第１ページ）の自動めくり表示時間（２秒）に加算されるように当該前後ページ（第１ページ）の自動めくり表示時間を調節することができる。その結果、本実施形態によると、表示画像中の重要度の高いページを優先的に表示しつつ、複数ページにまたがるコンテンツ全体の確認を容易にすることができる。よって、本実施形態によると、複数ページからなる表示画像を閲覧するユーザの利便性を向上させることができる。
【００７２】
本発明は、上述した実施形態のみに限定されるものではなく、特許請求の範囲において種々改変することができる。例えば、上記実施形態では電子ペーパ（表示部１５）が採用する表示方式として電気泳動方式を例に挙げたが、電子ペーパが採用する表示方式は、マイクロカプセル方式、電子粉流体方式、液晶方式、エレクトロウェッティング方式、化学変化方式等の他の表示方式であってもよい。さらに、本発明に係る表示装置Ｐの表示部１５は電子ペーパのみに限定されず、液晶ディスプレイ、プラズマディスプレイ、有機ＥＬディスプレイのように複数のページからなる画像をページごとに表示可能な表示装置であればいかなるものであってもよい。
【００７３】
なお、本発明に係る表示装置は、上記手順を実行するための専用のハードウェア回路によっても、上記手順を記述したプログラムをＣＰＵが実行することによっても実現可能である。後者により本発明を実現する場合、表示装置を作動させるプログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。ここで、コンピュータ読み取り可能な記録媒体に記録されたプログラムは、通常、記録装置に内蔵されたＲＯＭやハードディスク等に転送される。また、上記プログラムは、単独のアプリケーションソフトとして提供されてもよいし、表示装置の一機能としてソフトウェアに組み込まれてもよい。
【符号の説明】
【００７４】
１１    ＣＰＵ、
１２    ＲＡＭ、
１３    ＲＯＭ、
１４    表示情報記憶部、
１５    表示部、
１６    操作部、
ｕ１    表示順番変更用ＵＩ画面、
ｕ２    自動めくり表示時間変更用ＵＩ画面。
【図１】
2012141816.tif 000005
【図２】
2012141816.tif 000006
【図３】
2012141816.tif 000007
【図４】
2012141816.tif 000008
【図５】
2012141816.tif 000009
【図６】
2012141816.tif 000010
【図７】
2012141816.tif 000011
【図８】
2012141816.tif 000012
【図９】
2012141816.tif 000013
【図１０】
2012141816.tif 000014
【図１１】
2012141816.tif 000015
【図１２】
2012141816.tif 000016
【図１３】
2012141816.tif 000017